(57)【要約】【課題】複数の画像から所望とする画像を選択する際の操作を簡易なものとする。【解決手段】メディアＭからファイル名順に静止画像データＳ０を読み出しテレビ３に表示する。この状態においては、表示される全ての静止画像データＳ０は非選択状態とされている。一の静止画像データＳ０を表示してから所定時間リモコン１５から指示がなされないと、表示中の静止画像データＳ０を選択状態とし、ファイル名が次の静止画像データＳ０を表示する。所定時間内にリモコン１５から次のファイル名の静止画像データＳ０の表示指示がなされると、表示中の静止画像データＳ０をそのまま非選択状態として、ファイル名が次の静止画像データＳ０を表示する。【選択図】　　　　　図１
2004088436.tif 000002
【特許請求の範囲】
【請求項１】
複数の画像について選択および非選択の指示を行う画像選択方法において、
前記複数の画像を所定の順序で順次表示するに際し、前記各画像に選択および非選択の状況を表す選択状況情報を付与して表示し、
一の画像の表示後所定時間以内に次画像の表示指示があった場合には、前記一の画像の選択状況情報を変更することなく前記次画像を表示し、
前記所定時間以内に前記次画像の表示指示がなかった場合には、前記一の画像の選択状況情報を変更して前記次画像を表示することを特徴とする画像選択方法。
【請求項２】
複数の画像について選択および非選択の指示を行う画像選択方法において、
前記複数の画像を所定の順序で順次表示するに際し、前記各画像に選択および非選択の状況を表す選択状況情報を付与して表示し、
一の画像の表示後所定時間以内に次画像の表示指示があった場合には、前記一の画像の選択状況情報を変更して前記次画像を表示し、
前記所定時間以内に前記次画像の表示指示がなかった場合には、前記一の画像の選択状況情報を変更することなく前記次画像を表示することを特徴とする画像選択方法。
【請求項３】
前記選択状況情報を変更する前に、該選択状況情報の表示態様を変更することを特徴とする請求項１または２記載の画像選択方法。
【請求項４】
前記選択状況情報が変更されたことを表す音声を出力することを特徴とする請求項１から３のいずれか１項記載の画像選択方法。
【請求項５】
複数の画像について選択および非選択の指示を行う画像選択方法において、
前記複数の画像を所定の順序で順次表示するに際し、一の画像の表示中に該一の画像の選択または非選択の指示があると、該一の画像に選択および非選択の状況を表す選択状況情報を付与し、該一の画像の次画像を表示することを特徴とする画像選択方法。
【請求項６】
付与される前記選択状況情報に応じた音声を出力することを特徴とする請求項５記載の画像選択方法。
【請求項７】
複数の画像について選択および非選択の指示を行う画像選択装置において、
前記複数の画像を所定の順序で順次表示するに際し、前記各画像に選択および非選択の状況を表す選択状況情報を付与して表示し、一の画像の表示後所定時間以内に次画像の表示指示があった場合には、前記一の画像の選択状況情報を変更することなく前記次画像を表示し、前記所定時間以内に前記次画像の表示指示がなかった場合には、前記一の画像の選択状況情報を変更して前記次画像を表示する選択手段を備えたことを特徴とする画像選択装置。
【請求項８】
複数の画像について選択および非選択の指示を行う画像選択装置において、前記複数の画像を所定の順序で順次表示するに際し、前記各画像に選択および非選択の状況を表す選択状況情報を付与して表示し、一の画像の表示後所定時間以内に次画像の表示指示があった場合には、前記一の画像の選択状況情報を変更して前記次画像を表示し、前記所定時間以内に前記次画像の表示指示がなかった場合には、前記一の画像の選択状況情報を変更することなく前記次画像を表示する選択手段を備えたことを特徴とする画像選択装置。
【請求項９】
前記選択手段は、前記選択状況情報を変更する前に、該選択状況情報の表示態様を変更する手段であることを特徴とする請求項７または８記載の画像選択装置。
【請求項１０】
前記選択手段は、前記選択状況情報が変更されたことを表す音声を出力する手段であることを特徴とする請求項７から９のいずれか１項記載の画像選択装置。
【請求項１１】
複数の画像について選択および非選択の指示を行う画像選択装置において、
前記複数の画像を所定の順序で順次表示するに際し、一の画像の表示中に該一の画像の選択または非選択の指示があると、該一の画像に選択および非選択の状況を表す選択状況情報を付与し、該一の画像の次画像を表示する選択手段を備えたことを特徴とする画像選択装置。
【請求項１２】
前記選択手段は、付与される前記選択状況情報に応じた音声を出力する手段であることを特徴とする請求項１１記載の画像選択装置。
【請求項１３】
複数の画像について選択および非選択の指示を行う画像選択方法をコンピュータに実行させるためのプログラムにおいて、
前記複数の画像を所定の順序で順次表示するに際し、前記各画像に選択および非選択の状況を表す選択状況情報を付与して表示する手順と、
一の画像の表示後所定時間以内に次画像の表示指示があった場合には、前記一の画像の選択状況情報を変更することなく前記次画像を表示する手順と、
前記所定時間以内に前記次画像の表示指示がなかった場合には、前記一の画像の選択状況情報を変更して前記次画像を表示する手順とを有するプログラム。
【請求項１４】
複数の画像について選択および非選択の指示を行う画像選択方法をコンピュータに実行させるためのプログラムにおいて、
前記複数の画像を所定の順序で順次表示するに際し、前記各画像に選択および非選択の状況を表す選択状況情報を付与して表示する手順と、
一の画像の表示後所定時間以内に次画像の表示指示があった場合には、前記一の画像の選択状況情報を変更して前記次画像を表示する手順と、
前記所定時間以内に前記次画像の表示指示がなかった場合には、前記一の画像の選択状況情報を変更することなく前記次画像を表示する手順とを有するプログラム。
【請求項１５】
前記選択状況情報を変更する前に、該選択状況情報の表示態様を変更する手順をさらに有する請求項１３または１４記載のプログラム。
【請求項１６】
前記選択状況情報が変更されたことを表す音声を出力する手順をさらに有する請求項１３から１５のいずれか１項記載のプログラム。
【請求項１７】
複数の画像について選択および非選択の指示を行う画像選択方法をコンピュータに実行させるためのプログラムにおいて、
前記複数の画像を所定の順序で順次表示するに際し、一の画像の表示中に該一の画像の選択または非選択の指示があると、該一の画像に選択および非選択の状況を表す選択状況情報を付与し、該一の画像の次画像を表示する手順を有するプログラム。
【請求項１８】
付与される前記選択状況情報に応じた音声を出力する手順をさらに有する請求項１７記載のプログラム。
【発明の詳細な説明】
【０００１】
【発明の属する技術分野】
本発明は、複数の画像をテレビ等のモニタに表示して所望とする画像を選択する画像選択方法および装置並びに画像選択方法をコンピュータに実行させるためのプログラムに関するものである。
【０００２】
【従来の技術】
ＤＶＤプレーヤーは、ＤＶＤに記録された映画を家庭用のテレビにおいて再生したり、ＣＤに記録された音楽を再生して楽しむことができる。一方、ＤＶＤやＣＤ等のメディアに記録された静止画像を表す静止画像データをＤＶＤプレーヤーにより表示することも可能となってきている。これにより、デジタルカメラにより取得した画像データや、フイルムに記録された画像を読み取ることにより得た画像データをメディアに記録すれば、自身が撮影した画像を家庭用のテレビに表示して家族や友人とともに楽しむことができる。
【０００３】
また、インターネットに接続するウェブブラウザーの機能を有するＤＶＤプレーヤーも提供されている。このようにＤＶＤプレーヤーがウェブブラウザーの機能を有する場合、ユーザはテレビによりインターネットを楽しむことができる。また、画像データを用いたプリントサービスを提供する写真店のウェブサイトにアクセスし、ユーザが取得した静止画像データについてのプリントサービス、アルバム作成サービス、保管サービス等のネットワークプリントサービスを受けることができる。
【０００４】
ところで、メディアには複数の静止画像データを記録することができるが、上述したプリントサービス等を依頼する場合には、これらの複数の静止画像データから再生するまたはサービスの提供を依頼する静止画像データを選択する必要がある。このため、複数の静止画像データにより表される画像のサムネイル画像を生成してこれを一覧画面に含めてテレビに表示し、ＤＶＤプレーヤーのリモコンの上下左右キーおよび決定キーを操作して画像の選択および選択の決定を行うようにしている。
【０００５】
【発明が解決しようとする課題】
しかしながら、ＤＶＤプレーヤーを用いての画像の表示は、パソコンとは異なり比較的リラックスした状態で行うことが多い。このため、リモコンの小さなキーを何度も操作して画像の選択を行う作業は非常に煩わしいものとなる。
【０００６】
本発明は上記事情に鑑みなされたものであり、画像の選択作業を簡易に行うようにすることを目的とする。
【０００７】
【課題を解決するための手段】
本発明による第１の画像選択方法は、複数の画像について選択および非選択の指示を行う画像選択方法において、
前記複数の画像を所定の順序で順次表示するに際し、前記各画像に選択および非選択の状況を表す選択状況情報を付与して表示し、
一の画像の表示後所定時間以内に次画像の表示指示があった場合には、前記一の画像の選択状況情報を変更することなく前記次画像を表示し、
前記所定時間以内に前記次画像の表示指示がなかった場合には、前記一の画像の選択状況情報を変更して前記次画像を表示することを特徴とするものである。
【０００８】
本発明による第２の画像選択方法は、複数の画像について選択および非選択の指示を行う画像選択方法において、
前記複数の画像を所定の順序で順次表示するに際し、前記各画像に選択および非選択の状況を表す選択状況情報を付与して表示し、
一の画像の表示後所定時間以内に次画像の表示指示があった場合には、前記一の画像の選択状況情報を変更して前記次画像を表示し、
前記所定時間以内に前記次画像の表示指示がなかった場合には、前記一の画像の選択状況情報を変更することなく前記次画像を表示することを特徴とするものである。
【０００９】
「所定の順序」としては、ファイル名の昇順、降順、撮影日時の昇順、降順等を用いることができる。
【００１０】
「選択状況情報」とは、画像が選択されているか非選択であるかを表す情報であり、第１または第２の画像選択方法においては、画像の表示時にこの選択状況情報が画像に付与される。例えば、画像が選択されている場合には○、非選択の場合には×が記されたアイコン等が画像に付与されて表示される。なお、これと同時に画像を表す画像データのタグ情報に選択状況を記述することが好ましい。
【００１１】
「選択状況情報を変更する」とは、選択状況情報が画像の選択を表すものである場合には非選択を表すものとし、選択状況情報が画像の非選択を表すものである場合には選択を表すものとすることをいう。
【００１２】
なお、本発明による第１または第２の画像選択方法においては、前記選択状況情報を変更する前に、該選択状況情報の表示態様を変更するようにしてもよい。
【００１３】
「表示態様を変更する」とは、選択状況情報が変更されることが画像の選択指示を行っているユーザに分かるようにするものであり、例えば選択状況情報を点滅表示させたり、色を変更したりすることをいう。
【００１４】
また、本発明による第１または第２の画像選択方法においては、前記選択状況情報が変更されたことを表す音声を出力するようにしてもよい。
【００１５】
本発明による第３の画像選択方法は、複数の画像について選択および非選択の指示を行う画像選択方法において、
前記複数の画像を所定の順序で順次表示するに際し、一の画像の表示中に該一の画像の選択または非選択の指示があると、該一の画像に選択および非選択の状況を表す選択状況情報を付与し、該一の画像の次画像を表示することを特徴とするものである。
【００１６】
なお、本発明による第３の画像選択方法においては、付与される前記選択状況情報に応じた音声を出力するようにしてもよい。
【００１７】
本発明による第１の画像選択装置は、複数の画像について選択および非選択の指示を行う画像選択装置において、
前記複数の画像を所定の順序で順次表示するに際し、前記各画像に選択および非選択の状況を表す選択状況情報を付与して表示し、一の画像の表示後所定時間以内に次画像の表示指示があった場合には、前記一の画像の選択状況情報を変更することなく前記次画像を表示し、前記所定時間以内に前記次画像の表示指示がなかった場合には、前記一の画像の選択状況情報を変更して前記次画像を表示する選択手段を備えたことを特徴とするものである。
【００１８】
本発明による第２の画像選択装置は、複数の画像について選択および非選択の指示を行う画像選択装置において、前記複数の画像を所定の順序で順次表示するに際し、前記各画像に選択および非選択の状況を表す選択状況情報を付与して表示し、一の画像の表示後所定時間以内に次画像の表示指示があった場合には、前記一の画像の選択状況情報を変更して前記次画像を表示し、前記所定時間以内に前記次画像の表示指示がなかった場合には、前記一の画像の選択状況情報を変更することなく前記次画像を表示する選択手段を備えたことを特徴とするものである。
【００１９】
なお、本発明による第１または第２の画像選択装置においては、前記選択手段を、前記選択状況情報を変更する前に、該選択状況情報の表示態様を変更する手段としてもよ。
【００２０】
また、本発明による第１または第２の画像選択装置においては、前記選択手段を、前記選択状況情報が変更されたことを表す音声を出力する手段としてもよい。
【００２１】
本発明による第３の画像選択装置は、複数の画像について選択および非選択の指示を行う画像選択装置において、
前記複数の画像を所定の順序で順次表示するに際し、一の画像の表示中に該一の画像の選択または非選択の指示があると、該一の画像に選択および非選択の状況を表す選択状況情報を付与し、該一の画像の次画像を表示する選択手段を備えたことを特徴とするものである。
【００２２】
なお、本発明による第３の画像選択装置においては、前記選択手段を、付与される前記選択状況情報に応じた音声を出力する手段としてもよい。
【００２３】
なお、本発明による第１から第３の画像選択方法をコンピュータに実行させるためのプログラムとして提供してもよい。
【００２４】
【発明の効果】
本発明の第１の画像選択方法および装置によれば、複数の画像が所定の順序で順次表示されるが、その際、各画像に選択および非選択の状況を表す選択状況情報が付与される。そして、一の画像の表示後所定時間以内に次画像の表示指示があった場合には、一の画像の選択状況情報が変更されることなく次画像が表示される。一方、所定時間以内に次画像の表示指示がなかった場合には、一の画像の選択状況情報が変更されて次画像が表示される。
【００２５】
また、本発明の第２の画像選択方法および装置によれば、複数の画像が所定の順序で順次表示されるが、その際、各画像に選択および非選択の状況を表す選択状況情報が付与される。そして、一の画像の表示後所定時間以内に次画像の表示指示があった場合には、一の画像の選択状況情報が変更されて次画像が表示される。一方、所定時間以内に次画像の表示指示がなかった場合には、一の画像の選択状況情報が変更されることなく次画像が表示される。
【００２６】
このように、画像の選択を行うユーザは、次画像の表示指示を行うあるいは所定時間待ちさえすれば、画像の選択状況情報が変更されるため、少ない操作により画像の選択および非選択を指示することができ、その結果、画像選択時におけるユーザの負担を軽減することができる。
【００２７】
また、選択状況情報を変更する前に選択状況情報の表示態様を変更することにより、ユーザは表示中の画像について選択状況情報が変更されることを容易に知ることができる。
【００２８】
また、選択状況情報が変更される際に音声を出力することにより、ユーザは表示中の画像について選択状況情報が変更されることを容易に知ることができる。
【００２９】
本発明の第３の画像選択方法および装置によれば、複数の画像が所定の順序で順次表示されるが、その際、一の画像の表示中にその一の画像の選択または非選択の指示があると、その一の画像に選択および非選択の状況を表す選択状況情報が付与され、次画像が表示される。
【００３０】
このように、画像の選択を行うユーザは、表示中の画像の選択または非選択の指示を行いさえすれば、画像の選択状況情報が付与されて次画像が表示されるため、少ない操作により画像の選択および非選択を指示することができ、その結果、画像選択時におけるユーザの負担を軽減することができる。
【００３１】
また、付与される選択状況情報に応じた音声を出力することにより、ユーザは表示中の画像について選択および非選択とされた旨を容易に知ることができる。
【００３２】
【発明の実施の形態】
以下図面を参照して本発明の実施形態について説明する。図１は本発明の第１の実施形態による画像選択装置を適用したＤＶＤプレーヤーの構成を示す概略ブロック図である。図１に示すように、第１の実施形態によるＤＶＤプレーヤー１は、メディアＭの挿入を受け付けてメディアＭに記録された動画像データ、静止画像データおよび音声データ等を読み出すメディアドライブ１１と、動画像データ、静止画像データおよび音声データをデコードするデコーダー１２と、動画像データ、静止画像データおよび音声データを再生等するためのプログラムや種々の情報を記録したＲＯＭ１３と、種々のデータを一時的に記憶したり、処理の作業領域となるＲＡＭ１４と、リモコン１５からの操作を受け付ける受信部１６と、テレビ３を接続するためのテレビ端子１７と、メモリカードリーダー、ハードディスク、プリンタ、通信インターフェース３１等の外部機器を接続するためのＵＳＢ、ＩＥＥＥ等の規格からなる入出力端子１８と、後述するように静止画像データＳ０の選択を行う画像選択手段２１と、メディアドライブ１１、デコーダー１２、ＲＯＭ１３、ＲＡＭ１４、受信部１６、テレビ端子１７、入出力端子１８および画像選択手段２１を制御するＣＰＵ１９とを備える。
【００３３】
メディアＭにはパソコン４において、デジタルカメラ５により取得された複数の静止画像データＳ０が記録される。
【００３４】
ここで、メディアＭに記録される動画像データ、静止画像データＳ０および音声データは、それぞれＭＰＥＧ、ＪＰＥＧ等の形式により圧縮されている。デコーダー１２は、メディアＭに記録された圧縮された動画像データ、静止画像データＳ０および音声データを解凍し、再生のためにテレビ端子１７に入力するものである。なお、動画像データ、静止画像データＳ０および音声データのそれぞれについて専用のデコーダー１２を設けてもよいが、装置の小型化および低コスト化の観点から、動画像データ、静止画像データＳ０および音声データで兼用のデコーダー１２を設けることが好ましい。また、動画像データの再生時には、画像と音声とを別個にデコードする必要がある場合があるため、動画像データ用のデコーダー１２と、音声データおよび静止画像データ用のデコーダー１２とを設けることが好ましい。
【００３５】
ＲＯＭ１３には、ＤＶＤプレーヤー１の動作プログラムが記録される。この動作プログラムは、データの再生をＣＰＵ１９に行わせるものであり、その操作はリモコン１５を用いて行われる。
【００３６】
ここで、データの再生が指示された場合には、再生するデータをユーザに選択させる画面がテレビ３に表示され、ユーザがリモコン１５により選択したデータをテレビ３に再生するように、メディアドライブ１１、デコーダー１２およびＣＰＵ１９がプログラムにより駆動される。
【００３７】
例えば、ユーザが動画像データを記録したメディアＭをメディアドライブ１１に挿入して動画像データの再生の指示を行った場合には、メディアドライブ１１によりメディアＭに記録された動画像データが読み出され、デコーダー１２によりデコードされる。そして、デコードされた動画像データがテレビ端子１７から出力されてテレビ３に動画像が再生される。
【００３８】
また、ユーザが静止画像データＳ０を記録したメディアＭをメディアドライブ１１に挿入して静止画像データＳ０の再生の指示を行った場合には、メディアドライブ１１によりメディアＭに記録された静止画像データＳ０が読み出され、デコーダー１２によりデコードされる。そして、デコードされた静止画像データＳ０がテレビ端子１７から出力されてテレビ３に静止画像が再生される。なお、複数の静止画像データＳ０がメディアに記録されている場合には、複数の静止画像データＳ０をサムネイル表示し、ここで選択されたサムネイル画像に対応する静止画像データＳ０を再生する。
【００３９】
また、ユーザが音声データを記録したメディアＭをメディアドライブ１１に挿入して音声データの再生の指示を行った場合には、メディアドライブ１１によりメディアＭに記録された音声データが読み出され、デコーダー１２によりデコードされる。そして、デコードされた音声データがテレビ端子１７から出力されてテレビ３において音声が再生される。なお、入出力端子１８にステレオやスピーカーを接続し、ステレオやスピーカーにより音声を再生するようにしてもよい。
【００４０】
また、ＲＯＭ１３にはウェブブラウザーが記憶されており、リモコン１５からの操作によりウェブブラウザーを操作して入出力端子１８に接続された通信インターフェース３１によりインターネット３２に接続し、写真店が運営するウェブサイト３３にアクセスして、静止画像データＳ０についてのプリント注文、アルバム作成および静止画像データＳ０の保管等のネットワークプリントサービスをウェブサイト３３に依頼することができる。
【００４１】
なお、ＲＯＭ１３に代えて、専用チップによりデータの再生やインターネット３２への接続を行うようにしてもよい。
【００４２】
ＲＡＭ１４は、種々のデータを一時的に記憶したり、処理の作業領域となる。
【００４３】
リモコン１５は、上下左右キー１５Ａ〜１５Ｄ、決定キー１５Ｅおよびその他のキーを有し、ユーザがキーを押下することによりそのキーに付与された指示を表す信号を受信部１６に送信する。
【００４４】
受信部１６は、リモコン１５から送信された、ユーザにより操作された操作内容を表す信号を受信し、操作内容に応じてＤＶＤプレーヤー１を駆動する指示をＣＰＵ１９に入力する。ここで、リモコン１５により、動画像データ、静止画像データＳ０および音声データの再生、後述する画像の選択並びに種々の設定等、ＤＶＤプレーヤー１の全ての操作を行うことができる。
【００４５】
画像選択手段２１は、メディアＭに記録された複数の静止画像データＳ０からユーザが所望とする静止画像データＳ０を選択する。以下、静止画像データＳ０の選択時に行われる処理について説明する。図２は、第１の実施形態において静止画像データＳ０の選択時に行われる処理を示すフローチャートである。なお、ここでは、複数の静止画像データＳ０が記録されたメディアＭがメディアドライブ１１に挿入され、静止画像データＳ０の再生や選択等を行う指示画面がテレビ３に表示されているものとする。
【００４６】
まず、指示画面において静止画像データＳ０の選択の指示が行われたか否かが判定され（ステップＳ１）、ステップＳ１が否定されると指示画面において選択された指示に応じた処理が行われ（ステップＳ２）、処理を終了する。ステップＳ１が肯定されると、ファイル名が先頭の静止画像データＳ０がメディアドライブ１１から読み出され（ステップＳ３）、デコーダー１２によりデコードされて（ステップＳ４）、テレビ端子１７から出力されてテレビ３に表示される（ステップＳ５）。
【００４７】
図３は、テレビ３に表示された静止画像データＳ０を示す図である。図３に示すようにテレビ３に表示された静止画像データＳ０により表される静止画像の右下部分には×印のアイコン７Ａが表示される。このアイコン７Ａは、表示中の静止画像データＳ０が非選択状態であることを示すものである。
【００４８】
そして、静止画像がテレビ３に表示されるとタイマーが起動され（ステップＳ６）、予め定められた第１の所定時間（例えば２．５秒）が経過したか否かが判定される（ステップＳ７）。
【００４９】
ステップＳ７が否定されると、終了の指示がなされたか否かが判定され（ステップＳ８）、ステップＳ８が肯定されると処理を終了する。ステップＳ８が否定されると、次画像を表示すべく右キー１５Ｄが押下されたか否かが判定される（ステップＳ９）。ステップＳ９が否定されるとステップＳ７に戻る。ステップＳ９が肯定されると、次画像を表示するために現在表示中の静止画像データＳ０の次のファイル名を有する静止画像データＳ０（次の静止画像データＳ０とする）がメディアＭから読み出され（ステップＳ１０）、ステップＳ４に戻りステップＳ４以降の処理が行われ、次の静止画像データＳ０がテレビ３に表示される。なお、ファイル名が最後の静止画像データＳ０が表示中の場合には、次の静止画像データＳ０は先頭の静止画像データＳ０となる。
【００５０】
ステップＳ７が肯定されると、アイコン７Ａが点滅され（ステップＳ１１）、静止画像データＳ０が表示されてからさらに第２の所定時間（例えば３秒）が経過したか否かが判定される（ステップＳ１２）。ステップＳ１２が否定されるとステップＳ８に進み、ステップＳ８以降の処理が行われる。ステップＳ１２が肯定されると、×印のアイコン７Ａが図４に示すように○印のアイコン７Ｂに切り替えられ、表示中の静止画像データＳ０は選択状態とされる（ステップＳ１３）。そして、表示中の静止画像データＳ０が選択された旨の音声が出力され（ステップＳ１４）、ステップＳ１０に進み、ステップＳ１０以降の処理が行われ、次の静止画像データＳ０がテレビ３に表示される。
【００５１】
このように、第１の実施形態においては、静止画像データＳ０の選択時において、テレビ３に静止画像データＳ０を表示した際に、表示中の静止画像データＳ０を選択しない場合には右キー１５Ｄを押下すれば次の静止画像データＳ０が表示され、表示中の静止画像データＳ０を選択する場合には、第２の所定時間待つことにより表示中の静止画像データＳ０が選択状態とされ、次の静止画像データＳ０が表示される。このため、静止画像データＳ０の選択を行うユーザは、少ない操作により静止画像データＳ０の選択および非選択を指示することができ、その結果、静止画像データＳ０の選択時におけるユーザの負担を軽減することができる。
【００５２】
また、静止画像データＳ０を選択状態とする前にアイコン７Ａを点滅しているため、ユーザは表示中の静止画像データＳ０について選択状態とされることを容易に知ることができる。
【００５３】
また、表示中の静止画像データＳ０を選択状態とする際に音声を出力しているため、ユーザは表示中の静止画像データＳ０について選択状態とされることを容易に知ることができる。
【００５４】
なお、上記第１の実施形態においては、静止画像データＳ０を表示する際に×印のアイコン７Ａを付与して静止画像データＳ０を非選択状態として表示しているが、○印のアイコン７Ｂを付与して静止画像データＳ０を選択状態として表示してもよい。この場合、ステップＳ１３においては○印のアイコン７Ｂから×印のアイコン７Ａに切り替えられて、表示中の静止画像データＳ０が非選択状態とされる。
【００５５】
次いで、本発明の第２の実施形態について説明する。図５は、第２の実施形態において行われる処理を示すフローチャートである。まず、指示画面において静止画像データＳ０の選択の指示が行われたか否かが判定され（ステップＳ２１）、ステップＳ２１が否定されると指示画面において選択された指示に応じた処理が行われ（ステップＳ２２）、処理を終了する。ステップＳ２１が肯定されると、ファイル名が先頭の静止画像データＳ０がメディアドライブ１１から読み出され（ステップＳ２３）、デコーダー１２によりデコードされて（ステップＳ２４）、テレビ端子１７から出力されてテレビ３に表示される（ステップＳ２５）。
【００５６】
そして、静止画像がテレビ３に表示されるとタイマーが起動され（ステップＳ２６）、予め定められた第１の所定時間（例えば２．５秒）が経過したか否かが判定される（ステップＳ２７）。
【００５７】
ステップＳ２７が否定されると、終了の指示がなされたか否かが判定され（ステップＳ２８）、ステップＳ２８が肯定されると処理を終了する。ステップＳ２８が否定されると、次画像を表示すべく右キー１５Ｄが押下されたか否かが判定される（ステップＳ２９）。ステップＳ２９が否定されるとステップＳ２７に戻る。ステップＳ２９が肯定されると、×印のアイコン７Ａが○印のアイコン７Ｂに切り替えられ、表示中の静止画像データＳ０は選択状態とされる（ステップＳ３０）。そして、表示中の静止画像データＳ０が選択された旨の音声が出力され（ステップＳ３１）、次画像を表示するために現在表示中の静止画像データＳ０の次のファイル名を有する静止画像データＳ０（次の静止画像データＳ０とする）がメディアＭから読み出され（ステップＳ３１）、ステップＳ２４に戻りステップＳ２４以降の処理が行われ、次の静止画像データＳ０がテレビ３に表示される。なお、ファイル名が最後の静止画像データＳ０を表示中の場合には、次の静止画像データＳ０は先頭の静止画像データＳ０となる。
【００５８】
ステップＳ２７が肯定されると、アイコン７Ａが点滅され（ステップＳ３３）、静止画像データＳ０が表示されてからさらに第２の所定時間（例えば３秒）が経過したか否かが判定される（ステップＳ３４）。ステップＳ３４が否定されるとステップＳ２８に進み、ステップＳ２８以降の処理が行われる。ステップＳ３４が肯定されると、ステップＳ３２に進み、ステップＳ３２以降の処理が行われ、次の静止画像データＳ０がテレビ３に表示される。
【００５９】
このように、第２の実施形態においては、静止画像データＳ０の選択時においてテレビ３に静止画像データＳ０を表示した際に、表示中の静止画像データＳ０を選択する場合には右キー１５Ｄを押下すれば表示中の静止画像データＳ０が選択状態とされ、次の静止画像データＳ０が表示される。また、表示中の静止画像データＳ０を選択しない場合には、第２の所定時間待つことにより次の静止画像データＳ０が表示される。このため、静止画像データＳ０の選択を行うユーザは、少ない操作により静止画像データＳ０の選択および非選択を指示することができ、その結果、静止画像データＳ０の選択時におけるユーザの負担を軽減することができる。
【００６０】
なお、上記第１および第２の実施形態においては左キー１５Ｃを押下することにより、現在表示中の静止画像データＳ０より以前の静止画像データＳ０を表示することができる。この際、以前の静止画像データＳ０には選択状態を表すアイコン７Ａまたは７Ｂが付与されている。この状態においては、上キー１５Ａまたは下キー１５Ｂを押下することにより、表示中の静止画像データＳ０の選択および非選択を切り替えることができる。
【００６１】
次いで、本発明の第３の実施形態について説明する。図６は第３の実施形態において行われる処理を示すフローチャートである。まず、指示画面において静止画像データＳ０の選択の指示が行われたか否かが判定され（ステップＳ４１）、ステップＳ４１が否定されると指示画面において選択された指示に応じた処理が行われ（ステップＳ４２）、処理を終了する。ステップＳ４１が肯定されると、ファイル名が先頭の静止画像データＳ０がメディアドライブ１１から読み出され（ステップＳ４３）、デコーダー１２によりデコードされて（ステップＳ４４）、テレビ端子１７から出力されてテレビ３に表示される（ステップＳ４５）。
【００６２】
図７は、テレビ３に表示された静止画像を示す図である。図７に示すようにテレビ３に表示された静止画像の右下部分には？印のアイコン７Ｃが表示される。このアイコン７Ｃは、表示中の静止画像データＳ０が選択も非選択もされていないことを表すものである。そして、右キー１５Ｄが押下されたか否かが判定され（ステップＳ４６）、ステップＳ４６が肯定されると表示中の静止画像データＳ０を非選択とする旨の情報が静止画像データＳ０に付与され（ステップＳ４７）、さらに非選択とされた旨を表す音声が出力される（ステップＳ４８）。なお、非選択とする旨の情報は静止画像データＳ０のタグ情報に記述される。
【００６３】
次いで、次画像を表示するために現在表示中の静止画像データＳ０の次のファイル名を有する静止画像データＳ０（次の静止画像データＳ０とする）がメディアＭから読み出され（ステップＳ４９）、ステップＳ４４に戻りステップＳ４４以降の処理が行われ、次の静止画像データＳ０がテレビ３に表示される。なお、ファイル名が最後の静止画像データＳ０を表示中の場合には、次の静止画像データＳ０は先頭の静止画像データＳ０となる。
【００６４】
一方、ステップＳ４６が否定されると、決定キー１５Ｅが押下されたか否かが判定され（ステップＳ５０）、ステップＳ５０が肯定されると表示中の静止画像データＳ０を選択する旨の情報が静止画像データＳ０に付与され（ステップＳ５１）、さらに選択された旨を表す音声が出力される（ステップＳ５２）。この場合の音声はステップＳ４８において出力される音声とは異なるものとなる。次いで、次画像を表示するためにステップＳ４９に進み、ステップＳ４９以降の処理が行われ、次の静止画像データＳ０がテレビ３に表示される。
【００６５】
なお、ステップＳ５０が否定されると終了の指示がなされたか否かが判定され（ステップＳ５４）、ステップＳ５４が肯定されると処理を終了する。ステップＳ５４が否定されるとステップＳ４６に戻り、ステップＳ４６以降の処理が行われる。
【００６６】
このように、第３の実施形態においては、静止画像データＳ０の選択時において、テレビ３に静止画像データＳ０を表示した際に、表示中の静止画像データＳ０を選択しない場合には右キー１５Ｄを押下すれば次の静止画像データＳ０が表示され、表示中の静止画像データＳ０を選択する場合には、決定キー１５Ｅを押下することにより表示中の静止画像データＳ０が選択状態とされ次の静止画像データＳ０が表示される。このため、静止画像データＳ０の選択を行うユーザは、少ない操作により静止画像データＳ０の選択および非選択を指示することができ、その結果、静止画像データＳ０の選択時におけるユーザの負担を軽減することができる。
【００６７】
また、表示中の静止画像データＳ０を選択状態とする際に音声を出力しているため、ユーザは表示中の静止画像データＳ０について選択状態とされることを容易に知ることができる。
【００６８】
なお、上記第３の実施形態においては左キー１５Ｃを押下することにより、現在表示中の静止画像データＳ０より以前の静止画像データＳ０を表示することができる。この際、以前の静止画像データＳ０には選択状態を表すアイコン７Ａ，７Ｂまたは選択も非選択もされていない状態を表すアイコン７Ｃが付与されている。この状態においては、上キー１５Ａまたは下キー１５Ｂを押下することにより、表示中の静止画像データＳ０現在の選択および非選択を切り替えることができる。
【００６９】
なお、上記第１から第３の実施形態において、選択状態とされた静止画像データＳ０は入出力端子１８に接続された通信インターフェース３１からインターネット３２経由で写真店のウェブサイト３３に送信され、ここで種々のプリントサービスに供される。
【図面の簡単な説明】
【図１】本発明の第１の実施形態による画像選択装置を適用したＤＶＤプレーヤーの構成を示す概略ブロック図
【図２】第１の実施形態において静止画像データの選択時に行われる処理を示すフローチャート
【図３】テレビに表示された静止画像データを示す図（その１）
【図４】テレビに表示された静止画像データを示す図（その２）
【図５】第２の実施形態において静止画像データの選択時に行われる処理を示すフローチャート
【図６】第３の実施形態において静止画像データの選択時に行われる処理を示すフローチャート
【図７】テレビに表示された静止画像データを示す図（その３）
【符号の説明】
１　　ＤＶＤプレーヤー
３　　テレビ
４　　パソコン
５　　デジタルカメラ
１１　　メディアドライブ
１２　　デコーダー
１３　　ＲＯＭ
１４　　ＲＡＭ
１５　　リモコン
１６　　受信部
１７　　テレビ端子
１８　　入出力端子
１９　　ＣＰＵ
２１　　画像選択手段
【図１】
2004088436.tif 000003
【図２】
2004088436.tif 000004
【図３】
2004088436.tif 000005
【図４】
2004088436.tif 000006
【図５】
2004088436.tif 000007
【図６】
2004088436.tif 000008
【図７】
2004088436.tif 000009